(57)【要約】【課題】洗浄用流体を高速で且つ広範囲に噴射できる内視鏡を提供する。【解決手段】挿入部の先端に設けられた観察光学系と、観察光学系側に流体を送る連結管部１４２とを備える内視鏡において、連結管部１４２からの流体が一端開口１４４Ｂに流入され、連結管部１４２よりも小径の小径部１４４と、小径部１４４の他端開口１４４Ａを覆う蓋部１４８と、他端開口１４４Ａの径方向に該他端開口１４４Ａの縁から離隔して蓋部１４８の内側に設けられ、小径部１４４からの流体を出射口１４１に案内する案内壁１４５とを備える。【選択図】図３
2020163006.tif 000002
【特許請求の範囲】
【請求項１】
挿入部の先端に設けられた観察光学系と、前記観察光学系側に流体を送る流体管部とを備える内視鏡において、
前記流体管部からの流体が一端開口に流入され、前記流体管部よりも小径の小径部と、
前記小径部の他端開口を覆う蓋部と、
前記他端開口の径方向に該他端開口の縁から離隔して前記蓋部の内側に設けられ、前記小径部からの流体を出射口に案内する案内壁と
を備えることを特徴とする内視鏡。
【請求項２】
前記流体管部と前記小径部との間に設けられ、前記流体管部側から前記小径部側に向けて縮径する縮径部を備えることを特徴とする請求項１に記載の内視鏡。  
【請求項３】
前記案内壁は、
前記他端開口をＵ字状に囲むことを特徴とする請求項１又は２に記載の内視鏡。
【請求項４】
前記案内壁における対向する２つの対向部の対向方向において、前記２つの対向部間の寸法は前記出射口の寸法以下であることを特徴とする請求項３に記載の内視鏡。
【請求項５】
前記他端開口は、
前記対向方向において前記２つの対向部間の中間部に設けられており、
前記対向方向と交差する交差方向において前記案内壁寄りに設けられていることを特徴とする請求項４に記載の内視鏡。
【発明の詳細な説明】
【技術分野】
【０００１】
本発明は、体内に挿入される挿入部の先端に観察光学系を有する内視鏡に関する。
【背景技術】
【０００２】
従来から内視鏡においては、体内へ挿入する挿入部の先端に、被検体を撮像するための観察光学系が設けられている。斯かる観察光学系の表面には、粘液、血液および残渣等の汚れが付着し易い。このように、観察光学系に汚れ等が付着していると被検体の明確な画像を撮りにくい。
【０００３】
これに対して、特許文献１の内視鏡及び特許文献２の内視鏡においては、壁又は斜面に洗浄用の流体を噴射して衝突させて流体の幅を広げることについて開示されている。
【０００４】
また、特許文献３の前方視型内視鏡の先端部及び特許文献４の内視鏡の観察窓洗浄ノズルには、洗浄用の流体の噴射の出射口を狭くすることによって、流体の速度を早めることについて開示されている。
【先行技術文献】
【特許文献】
【０００５】
【特許文献１】特開２００３−２１０３８８号公報
【特許文献２】特開２０１２−１７９２２１号公報
【特許文献３】特開２０１１−１５７７４号公報
【特許文献４】特開２００７−２５２５５９号公報
【発明の概要】
【発明が解決しようとする課題】
【０００６】
一方、内視鏡の高画質化、広視野化のニーズが高まり、観察光学系が大型化しつつある。大型の観察光学径の洗浄の為には、洗浄用の流体が高速で且つ広範囲に噴射されることが必要とされる。
【０００７】
しかしながら、上述した特許文献１の内視鏡、特許文献２の内視鏡においては、壁又は斜面に洗浄用の流体を噴射して衝突させて流体の幅を広げており、大型の観察光学系に対して幅を広げようとすると、より大きな傾斜を必要として物理的に対応できない問題、傾斜が急すぎて衝突による流体の速度低減を生じる問題、又は急勾配によって内視鏡の先端部表面から流体が剥離してしまう問題等が発生する。また、特許文献３の前方視型内視鏡の先端部及び特許文献４の内視鏡の観察窓洗浄ノズルにおいては、出射口を狭めて流体の速度を速くしているので、大型の観察光学径に対応して出射口を広くした場合は流体の速度が低減するので、高速及び広範囲の両立問題を解決出来ない。
【０００８】
本発明は、斯かる事情に鑑みてなされたものであり、その目的とするところは、洗浄用流体を高速で且つ広範囲に噴射することができ、観察光学系の全面を十分に洗浄ができる内視鏡を提供することにある。
【課題を解決するための手段】
【０００９】
本発明に係る内視鏡は、挿入部の先端に設けられた観察光学系と、前記観察光学系側に流体を送る流体管部とを備える内視鏡において、前記流体管部からの流体が一端開口に流入され、前記流体管部よりも小径の小径部と、前記小径部の他端開口を覆う蓋部と、前記他端開口の径方向に該他端開口の縁から離隔して前記蓋部の内側に設けられ、前記小径部からの流体を出射口に案内する案内壁とを備えることを特徴とする。
【００１０】
本発明にあっては、小径部は前記流体管部よりも小径であるので、小径部に流れ込む流体は流速が速くなり、小径部の他端開口から流れ出した後、案内壁によって出射口まで案内される。この際、小径部の他端開口と案内壁との間にて流体の渦が形成され、流体が高速且つ拡散し易い流れとなる。
【発明の効果】
【００１１】
本発明によれば、洗浄用流体を高速で且つ広範囲に噴射することができ、観察光学系の全面を十分に洗浄ができる。
【図面の簡単な説明】
【００１２】
【図１】本発明の実施の形態１に係る内視鏡の外観図である。
【図２】本発明の実施の形態１に係る内視鏡の先端部の外観図である。
【図３】図２のＩＩＩ−ＩＩＩ線による断面図である。
【図４】図２のＩＶ−ＩＶ線による断面図である。
【図５】図２のＶ−Ｖ線による断面図である。
【図６】図５のＶI−ＶI線による断面図である。
【図７】本発明の実施の形態１に係る内視鏡の送気送水ノズルにおいて、洗浄用水の流れをシミュレーションした結果を示す図である。
【図８】本発明の実施の形態１に係る内視鏡の送気送水ノズルにおいて、洗浄用水の流れをシミュレーションした結果を示す図である。
【図９】本発明の実施の形態１に係る内視鏡の送気送水ノズルにおいて、洗浄用水の流れをシミュレーションした結果を示す図である。
【図１０】本発明の実施の形態２に係る内視鏡の送気送水ノズルを示す斜視図である。
【図１１】送気送水ノズルを先端部に取り付けた場合の図１０のＸＩ−ＸＩ線による先端部の断面図である。
【図１２】図１１のＸＩＩ−ＸＩＩ線による断面図である。
【図１３】図１１のＸＩＩＩ−ＸＩＩＩ線による断面図である。
【発明を実施するための形態】
【００１３】
以下に、本発明の実施の形態に係る内視鏡について、図面に基づいて詳述する。
【００１４】
（実施の形態１）
図１は、本発明の実施の形態１に係る内視鏡１０の外観図である。本実施の形態に係る内視鏡１０は、挿入部１４と、操作部２０と、ユニバーサルコード２５と、コネクタ部２４とを有する。操作部２０は、ユーザの操作を受け付けるボタン２０１および湾曲ノブ２１と、略円筒形状のケース２０５に設けられたチャンネル入口２２とを有する。チャンネル入口２２には、処置具等を挿入する挿入口を有する鉗子栓２３が取り付けられている。
【００１５】
挿入部１４は、被検体の体内に挿入される。挿入部１４は長尺であり、先端の一端から順に先端部１３、湾曲部１２および軟性部１１を有する。挿入部１４は、他端が折止部１６を介して操作部２０に接続されている。湾曲部１２は、湾曲ノブ２１の操作に応じて湾曲する。
【００１６】
以後の説明では、挿入部１４の長手方向において、操作部２０に近い他端側を操作部側と言い、先端部１３に近い一端側を先端部側とも言う。
【００１７】
ユニバーサルコード２５は長尺であり、一端が操作部２０に接続され、他端がコネクタ部２４にそれぞれ接続されている。ユニバーサルコード２５は、軟性である。コネクタ部２４は、図示しない内視鏡用プロセッサ、光源装置、表示装置および送気送水装置等に接続される。操作部２０を適宜操作することによって、コネクタ部２４を介して送られてきた洗浄用の流体（空気又は水）が、折止部１６を介して先端部１３に送られる。
【００１８】
図２は、本発明の実施の形態１に係る内視鏡１０の先端部１３の外観図である。先端部１３は断面視円形であり、先端部１３の先端面１３１は平坦面である。先端部１３の先端面１３１には、観察光学系１３２、送気送水ノズル１４０、チャンネル出口１８、照明光学系１３３等が設けられている。
【００１９】
また、先端部１３は、観察光学系１３２を介して被検体の像光を取り込んで撮像を行う撮像素子（図示せず）等が収容された円筒状の収容筒１９を有しており、収容筒１９の縁部から先端部１３の先端面１３１が延設されている。収容筒１９、湾曲部１２および軟性部１１内には、送気送水ノズル１４０を介して観察光学系１３２に噴射される空気及び水の管路が形成されている。
【００２０】
先端面１３１には２つの照明光学系１３３が隔てて設けられており、観察光学系１３２は２つの照明光学系１３３の間に設けられている。観察光学系１３２は先端面１３１側が扁平面である。また、先端面１３１において、送気送水ノズル１４０、チャンネル出口１８が観察光学系１３２から離隔して設けられている。
【００２１】
送気送水ノズル１４０は観察光学系１３２に向けて空気又は水を噴射し、照明光学系１３３は照射光を射出して被写体を照明する。
【００２２】
図３は、図２のＩＩＩ−ＩＩＩ線による断面図であり、図４は、図２のＩＶ−ＩＶ線による断面図であり、図５は、図２のＶ−Ｖ線による断面図であり、図６は、図５のＶI−ＶI線による断面図である。
【００２３】
送気送水ノズル１４０は、先端面１３１に沿って、空気又は水を観察光学系１３２に向けて噴射する（図３及び図６の矢印参照）。送気送水ノズル１４０は、空気又は水が出射される出射口１４１を有する。空気及び水は出射口１４１を介して観察光学系１３２に向けて出射される。出射口１４１は略長円形状である。
送気送水ノズル１４０は大部分が先端面１３１に設けられた凹部に挿入されて固定される。
【００２４】
送気送水ノズル１４０は、筒部１４７と、筒部１４７の一方の開口端を封じる蓋部１４８とを有する。蓋部１４８及び筒部１４７は一体形成されている。出射口１４１は送気送水ノズル１４０において蓋部１４８側に設けられている。
筒部１４７の内側には、連結管部１４２（流体管部）及び小径部１４４が設けられており、連結管部１４２及び小径部１４４の間には縮径部１４３が形成されている。
【００２５】
連結管部１４２は、筒部１４７の長手方向に沿って延びており、コネクタ部２４及び折止部１６側から送気チューブ及び送水チューブ（図示せず）を介して送られてくる空気又は水を出射口１４１に送る。連結管部１４２は、前記送気チューブ及び送水チューブと小径部１４４とを連結している。連結管部１４２の一端に流れ込んだ空気又は水は小径部１４４を介して出射口１４１に送られる。
【００２６】
連結管部１４２において下流側の他端（蓋部１４８側の端）には、縮径部１４３を介して小径部１４４が設けられている。小径部１４４は連結管部１４２よりも小径である。小径部１４４に流れ込んだ空気又は水は出射口１４１を介して出射される。
【００２７】
上述したように、連結管部１４２よりも下流側であって、小径部１４４よりも上流側には縮径部１４３が形成されている。縮径部１４３は、連結管部１４２の他端及び小径部１４４の一端（一端開口１４４Ｂ）を連結している。縮径部１４３はテーパ状又は漏斗形状である。即ち、縮径部１４３では、連結管部１４２から小径部１４４に向けて徐々に縮径している。従って、縮径部１４３を経て小径部１４４に流れ込む空気又は水は圧力が低減して流速が速くなる。
連結管部１４２、縮径部１４３及び小径部１４４は同一軸を中心として設けられている。
【００２８】
蓋部１４８は所定の厚みを有する円板状であり、連結管部１４２、縮径部１４３及び小径部１４４の並設方向と交差するように設けられている。蓋部１４８は内部に案内路１４９が形成されている。案内路１４９は扁平な直方形状に切り欠いた空洞であり、他端開口１４４Ａから流れ出した空気又は水を出射口１４１に案内する。即ち、案内路１４９は、蓋部１４８の厚み方向と平行である側壁１４５（案内壁）と、側壁１４５と直交する天井壁１４５Ｃとを含む。案内路１４９は出射口１４１を介して外側と連通している。
連結管部１４２の一端に流れ込んだ空気又は水は、縮径部１４３、小径部１４４、案内路１４９及び出射口１４１を介して噴射される。図３には空気又は水の流路を破線にて示している。
【００２９】
蓋部１４８は、小径部１４４の他端開口１４４Ａを覆うように設けられている。詳しくは、小径部１４４の下流側端が、蓋部１４８の中央部にて案内路１４９に連通している。即ち、小径部１４４の他端開口１４４Ａは案内路１４９と連結されている。
【００３０】
側壁１４５は小径部１４４の他端開口１４４ＡをＵ字状に取り囲んでおり、他端開口１４４Ａからの空気又は水を出射口１４１まで案内する（図６参照）。小径部１４４の他端開口１４４Ａは例えば円形であり、他端開口１４４Ａの径方向に他端開口１４４Ａの縁から離隔した位置に側壁１４５が形成されている。
【００３１】
即ち、側壁１４５において互いに対向している側壁１４５Ａ及び側壁１４５Ｂ（２つの対向部）の対向方向（図４の実線の矢印方向）において、側壁１４５Ａ及び側壁１４５Ｂ間の寸法は、他端開口１４４Ａの直径よりも長い。また、前記対向方向と交差する交差方向（図３の実線の矢印方向）、即ち、他端開口１４４Ａ及び出射口１４１を繋ぐ方向においても側壁１４５は他端開口１４４Ａの縁から離れて設けられている。従って、案内路１４９の内側は、他端開口１４４Ａの径方向における断面積が他端開口１４４Ａの面積より大きい空洞を形成している。
【００３２】
更に、他端開口１４４Ａは前記対向方向において、側壁１４５Ａ及び側壁１４５Ｂの間の中間部に設けられている。また、他端開口１４４Ａは前記交差方向において、出射口１４１よりも側壁１４５側に設けられている。
【００３３】
また、前記対向方向における側壁１４５Ａ及び側壁１４５Ｂ間の寸法は、前記対向方向における出射口１４１の寸法以下である。即ち、前記対向方向において、側壁１４５Ａ及び側壁１４５Ｂ間の寸法は、出射口１４１と同一であるか、又は、出射口１４１に近づくにつれて大きくなるように設けられている。
【００３４】
このような構成を有することから、本実施の形態に係る内視鏡１０においては、広い範囲にて高速の空気又は水を観察光学系１３２に向けて噴射することができる。
【００３５】
上述したように、案内路１４９内の空洞は、他端開口１４４Ａの径方向における断面積が、他端開口１４４Ａの面積より大きい。つまり、案内路１４９内では、他端開口１４４Ａより広くなるので、小径部１４４の経過時に速度が高くなった空気又は水が他端開口１４４Ａから流れ出す際、案内路１４９内に広がり、連結管部１４２より速い速度を維持する。また、この際、他端開口１４４Ａの周辺では渦の流れが形成され、他端開口１４４Ａ周辺では空気又は水が高速且つ拡散し易い流れとなる。
【００３６】
即ち、上述したように、縮径部１４３では、連結管部１４２から小径部１４４に向けて徐々に縮径しているので、縮径部１４３を経て小径部１４４に流れ込む空気又は水は流速が速くなる。流速が速くなった空気又は水は、他端開口１４４Ａから流れ出して天井壁１４５Ｃ及び側壁１４５によって流れが案内され、他端開口１４４Ａの周辺にて渦の流れを形成する。従って、案内路１４９内で空気又は水が均一に拡散する。従って、空気又は水が出射口１４１から出射する際、幅方向（図９の矢印方向）に広がり易く、出射時の噴射力を確保できる。
【００３７】
更に、他端開口１４４Ａは前記対向方向において、側壁１４５Ａ及び側壁１４５Ｂの間の中間部に設けられている。即ち、側壁１４５Ａ及び側壁１４５Ｂ夫々は、他端開口１４４Ａの縁から略等しい距離を離れているので、同じ大きさの渦の流れが形成され、空気又は水の速度を一層均一にできる。
【００３８】
また、上述したように、他端開口１４４Ａは前記交差方向において、出射口１４１よりも側壁１４５寄りに設けられている。即ち、前記交差方向において、他端開口１４４Ａから出射口１４１までは、渦の流れが形成れる領域を含む広い領域である。従って、空気又は水が他端開口１４４Ａの周辺にて渦の流れを形成した後、直ぐに出射口１４１を介して出射するものでなく、案内路１４９内をしばらくの間流れる。よって、この際、空気又は水は流れ方向等が整流されてから観察光学系１３２に向けて出射口１４１から出射される。従って、空気又は水が出射口１４１通過後にあらぬ方向に進行することを防止できる。例えば、空気又は水が、先端面１３１（観察光学系１３２の面）と直交する方向において先端面１３１（観察光学系１３２の面）から遠ざかる方向に進行することを防止できる。
【００３９】
そのうえ、前記対向方向における側壁１４５Ａ及び側壁１４５Ｂ間の寸法が、前記対向方向における出射口１４１の寸法以下である。従って、出射口１４１に向かう空気又は水が側壁１４５Ａ及び側壁１４５Ｂと衝突して速度を落とすことを抑制でき、高速のまま出射口１４１から出射される。
【００４０】
図７−図９は、本発明の実施の形態１に係る内視鏡１０の送気送水ノズル１４０において、洗浄用水の流れをシミュレーションした結果を示す図である。洗浄用空気の流れも図７−図９のシミュレーション結果と同様であり、詳しい説明を省略する。
【００４１】
図７は、図３の断面図に対してシミュレーションの結果を示したものであり、図８は、図４の断面図に対してシミュレーションの結果を示したものである。図７及び図８においては、洗浄用水の流れ及び大きさをベクトルで示している。即ち、図７及び図８においては、洗浄用水の流れ方向を矢印の方向で示しており、洗浄用水の速度を矢印の長さにて示している。
【００４２】
図７及び図８から解かるように、洗浄用水は、連結管部１４２から縮径部１４３を通過する際に速度が高くなって、小径部１４４に流れ込む。小径部１４４（他端開口１４４Ａ）から流れ出した洗浄用水は、他端開口１４４Ａの周辺で渦の流れを形成する。この後、洗浄用水は、速度を落とさず、出射口１４１に向かって案内路１４９内を流れるが、この際、整流が行われる。整流された洗浄用水は出射口１４１から出射されるが、出射の前後において速度の低減は見当たらない。
【００４３】
図９は、他端開口１４４Ａから観察光学系１３２までの洗浄用水の流れを示す図である。説明の便宜上、蓋部１４８が透明であるとして、他端開口１４４Ａ及び蓋部１４８を二点鎖線にて示している。また、図９においては、洗浄用水の流れを太い実線にて示しているが、作図の便宜上、６本の線のみで表している。
【００４４】
図９から解かるように、他端開口１４４Ａから流れ出した洗浄用水は、他端開口１４４Ａの周辺で渦の流れを形成し、整流された後、出射口１４１から出射される。出射後、洗浄用水は幅方向（図９の矢印方向）に広がり始め、観察光学系１３２に到達時には、観察光学系１３２の面積よりも広い範囲に広がっている。
【００４５】
以上のように、本発明の実施の形態１に係る内視鏡１０は、高速で、且つ送気送水ノズル１４０の出射口１４１から出射される前後に速度が変化することなく、洗浄用の空気又は水が観察光学系１３２に噴射される。且つ送気送水ノズル１４０から噴射された空気又は水は観察光学系１３２の面積よりも広範囲に広がるので、観察光学系１３２の全面をキレイに洗浄することができる。
【００４６】
（実施の形態２）
図１０は、本発明の実施の形態２に係る内視鏡１０の送気送水ノズル１４０Ａを示す斜視図である。図１０では、送気送水ノズル１４０Ａにおいて先端面１３１に設けられた凹部に挿入される部分を一点鎖線にて示しており、先端面１３１を破線にて示している。
【００４７】
本発明の実施の形態２に係る内視鏡１０の送気送水ノズル１４０Ａは、先端面１３１に設けられた凹部に挿入される半円筒部１４６を有し、半円筒部１４６の一方の開口端は蓋部１４８Ａによって封じられている。蓋部１４８Ａ及び半円筒部１４６は一体形成されている。
【００４８】
蓋部１４８Ａは円板状であり、半円筒部１４６の長手方向と直交している。蓋部１４８Ａは半円筒部１４６と略同一の半径を有し、半円筒部１４６の前記一方の開口端は、蓋部１４８Ａの周縁に沿って設けられている。蓋部１４８Ａの一面の面積は半円筒部１４６の径方向の断面面積より大きく、半円筒部１４６の径方向にて、蓋部１４８Ａの一部が半円筒部１４６からはみ出ている。以下、蓋部１４８Ａの前記一部をはみ出部と言う。
【００４９】
図１１は、送気送水ノズル１４０Ａを先端部１３に取り付けた場合の図１０のＸＩ−ＸＩ線による先端部１３の断面図であり、図１２は、図１１のＸＩＩ−ＸＩＩ線による断面図であり、図１３は、図１１のＸＩＩＩ−ＸＩＩＩ線による断面図である。
【００５０】
実施の形態１と異なり、本実施の形態２においては、連結管部、小径部及び縮径部が先端部１３に設けられている。以下、詳しく説明する。
【００５１】
先端部１３の内部には、挿入部１４の長手方向に沿って延びる連結管部１３６が設けられている。また、連結管部１３６の一端には、折止部１６側からの空気又は水を連結管部１３６に送る前記送気チューブ及び前記送水チューブ（図示せず）が接続され、連結管部１３６と連通している。連結管部１３６は、前記送気チューブ及び前記送水チューブを介して送られてくる空気又は水を送気送水ノズル１４０Ａ側に送る。
即ち、前記送気チューブ及び前記送水チューブを介して連結管部１３６に流れ込んだ空気又は水は、送気送水ノズル１４０Ａに送られる。
【００５２】
連結管部１３６における下流側の他端には、縮径部１３５を介して小径部１３４が設けられている。小径部１３４は連結管部１３６よりも小径である。小径部１３４に流れ込んだ空気又は水は後述する出射口１４１Ａを介して出射される。
【００５３】
上述したように、連結管部１３６よりも下流側であって、小径部１３４よりも上流側には縮径部１３５が形成されている。縮径部１３５は、連結管部１３６の他端及び小径部１３４の一端（一端開口１３４Ｂ）を連結している。縮径部１３５はテーパ状又は漏斗形状である。即ち、縮径部１３５では、連結管部１３６から小径部１３４に向けて徐々に縮径している。従って、縮径部１３５を経て小径部１３４に流れ込む空気又は水は圧力が低減し、流速が速くなる。
【００５４】
小径部１３４の他端開口１３４Ａは先端面１３１に開口しており、蓋部１４８Ａは、小径部１３４の他端開口１３４Ａを覆うように設けられている。
半円筒部１４６は蓋部１４８Ａ側の端部を除いて先端部１３に埋設されており、半円筒部１４６の前記端部に蓋部１４８Ａが先端面１３１と平行に延設されている。即ち、小径部１３４の他端開口１３４Ａを含む先端面１３１の所定範囲が蓋部１４８Ａによって覆われており、他端開口１３４Ａから流れ出した空気又は水を出射口１４１Ａに案内する案内路１４９Ａが形成される。換言すれば、小径部１３４は他端開口１３４Ａを介して案内路１４９Ａと連結されている
【００５５】
即ち、案内路１４９Ａは、蓋部１４８Ａ、半円筒部１４６の前記端部と、先端面１３１とによって形成された空洞である。案内路１４９Ａは、蓋部１４８の厚み方向と平行であり、半円筒部１４６の内面である側壁１４５Ｒ（案内壁）と、側壁１４５Ｒと直交し、蓋部１４８Ａの内面である天井壁１４５Ｃとを含む。
【００５６】
案内路１４９Ａは出射口１４１Ａを介して外側と連通している。出射口１４１Ａは、蓋部１４８Ａの前記はみ出部の縁と、先端面１３１と、半円筒部１４６の蓋部１４８Ａ側端部の縁とで構成されている。出射口１４１Ａは略長円形状である。
【００５７】
連結管部１３６の一端に流れ込んだ空気又は水は、縮径部１３５、小径部１３４、案内路１４９Ａ及び出射口１４１Ａ介して噴射される。図１１には空気又は水の流路を破線の矢印にて示している。
【００５８】
側壁１４５Ｒは小径部１３４の他端開口１３４ＡをＵ字状に取り囲んでおり、他端開口１３４Ａからの空気又は水を出射口１４１Ａまで案内する（図１３参照）。小径部１３４の他端開口１３４Ａは例えば円形であり、他端開口１３４Ａの径方向に他端開口１３４Ａの縁から離隔した位置に側壁１４５Ｒが形成されている。
【００５９】
即ち、案内路１４９Ａの内側は、他端開口１３４Ａの径方向における断面積が、他端開口１３４Ａの面積より大きい空洞を形成している。
【００６０】
また、本発明の実施の形態２に係る内視鏡１０は、他端開口１３４Ａ及び出射口１４１Ａを繋ぐ前記交差方向（図１３の実線の矢印方向）において、側壁１４５Ｒのうち、出射口１４１Ａと面する部分が湾曲しており、半円状である。即ち、斯かる部分においては、他端開口１３４Ａの縁から側壁１４５Ｒまでの間隔が略同一であるので、均一な大きさの空洞が形成される。従って、他端開口１３４Ａから流れ出した空気又は水は、他端開口１３４Ａの周辺でより均一に渦の流れが形成される。
【００６１】
即ち、縮径部１３５では、連結管部１３６から小径部１３４に向けて徐々に縮径しているので、縮径部１３５を経て小径部１３４に流れ込む空気又は水は流速が速くなる。流速が速くなった空気又は水は、他端開口１３４Ａから流れ出して天井壁１４５Ｃ及び側壁１４５Ｒによって流れが案内され、他端開口１３４Ａの周辺にて渦の流れを形成する。従って、案内路１４９Ａ内で空気又は水が均一に拡散する。従って、空気又は水が出射口１４１Ａから出射する際、幅方向に広がり易く、出射時の噴射力を確保できる。
【００６２】
案内路１４９Ａの他の構成は、実施の形態１の案内路１４９と同様であり、詳しい説明を省略する。
【００６３】
このような構成を有することから、本実施の形態２に係る内視鏡１０においても、他端開口１３４Ａから流れ出した空気又は水は、他端開口１３４Ａの周辺でより均一に渦の流れを形成した後、整流されてから、出射口１４１Ａから出射される。出射後、空気又は水は幅方向に広がり始め、観察光学系１３２に到達時には、観察光学系１３２の面積よりも広い範囲に広がる。
【００６４】
従って、本発明の実施の形態２に係る内視鏡１０は、高速で、且つ送気送水ノズル１４０Ａの出射口１４１Ａから出射される前後に速度が変化することなく、洗浄用の空気又は水が観察光学系１３２に噴射される。且つ送気送水ノズル１４０から噴射された空気又は水が観察光学系１３２の全面をキレイに洗浄することができる。
【００６５】
また、本発明の実施の形態２に係る内視鏡１０においては、連結管部１３６、縮径部１３５及び小径部１３４を先端部１３の内部に設けることによって、送気送水ノズル１４０Ａを簡単な構成にすることができる。
【００６６】
実施の形態１と同様の部分については、同一の符号を付して詳細な説明を省略する。
【００６７】
本発明に係る内視鏡１０は以上の記載に限定されるものではない。
以上においては、一つの送気送水ノズル１４０を備える場合について説明したが、空気用のノズルと水用のノズルを夫々設けても良い。
【００６８】
以上の記載においては、送気送水ノズル１４０，１４０Ａの出射口１４１，１４１Ａから空気又は水が噴射される場合を例として説明したが、本発明に係る内視鏡１０はこれに限定されるものでない。送気送水ノズル１４０，１４０Ａの出射口１４１，１４１Ａから空気と水とが混合された状態で出射されるように構成しても良い。
【符号の説明】
【００６９】
１０  内視鏡
１４  挿入部
１３２  観察光学系
１３４，１４４  小径部
１３４Ｂ，１４４Ｂ  一端開口
１３４Ａ，１４４Ａ  他端開口
１３５，１４３  縮径部
１３６，１４２  連結管部（流体管部）
１４０，１４０Ａ  送気送水ノズル
１４１，１４１Ａ  出射口
１４５、１４５Ｒ  側壁（案内壁）
１４５Ａ，１４５Ｂ  側壁（対向部）
１４８，１４８Ａ  蓋部
【図１】
2020163006.tif 000003
【図２】
2020163006.tif 000004
【図３】
2020163006.tif 000005
【図４】
2020163006.tif 000006
【図５】
2020163006.tif 000007
【図６】
2020163006.tif 000008
【図７】
2020163006.tif 000009
【図８】
2020163006.tif 000010
【図９】
2020163006.tif 000011
【図１０】
2020163006.tif 000012
【図１１】
2020163006.tif 000013
【図１２】
2020163006.tif 000014
【図１３】
2020163006.tif 000015